(57)【特許請求の範囲】
【請求項１】
複数のサービスを加入者契約に応じて携帯端末に提供する移動通信システムであって、
前記携帯端末に対して各々が異なるサービスを提供する機能を有する複数のノードを備え、前記携帯端末から位置登録要求を受信すると、該携帯端末の加入者契約に基づいて定まるノードに該携帯端末を登録すると共に、該ノードにて収容することが識別できるような一時的加入者識別情報を該携帯端末に送信するコアネットワークと、
前記コアネットワークの複数の前記ノードと接続する制御装置を備え、前記携帯端末と前記コアネットワークの間でメッセージ信号を中継し、その中継において、前記制御装置が、前記携帯端末から前記一時的加入者識別情報を含むメッセージ信号を受信すると、該携帯端末を収容するノードを該一時的加入者識別情報に基づいて識別し、該ノードに前記メッセージ信号を送信する無線ネットワークと、を有する移動通信システム。
【請求項２】
前記コアネットワークは、前記携帯端末の回線交換通信における位置を管理する第１の位置管理装置を更に有し、前記携帯端末からの位置登録要求を受信したノードが前記第１の位置管理装置に位置登録の更新を要求する、請求項１に記載の移動通信システム。
【請求項３】
前記無線ネットワークは、前記制御装置が前記携帯端末から受信した前記位置登録要求に一時的加入者識別情報ではなく固定的加入者識別情報が含まれていれば、前記位置登録要求をデフォルトで定められているノードに送信し、
前記コアネットワークは、前記無線ネットワークから前記固定的加入者識別情報を含む前記位置登録要求を受信すると、該固定的加入者識別情報から、該位置登録要求を送信した携帯端末の加入者契約を調べ、得られた該加入者契約に基づいて該携帯端末を収容するノードを決定し、該ノードに該携帯端末を登録すると共に、該ノードにて収容することを識別可能な一時的加入者識別情報を該携帯端末に送信する、請求項１に記載の移動通信システム。
【請求項４】
前記コアネットワークは、前記無線ネットワークから前記一時的加入者識別情報を含む前記位置登録要求を受信すると、該一時的加入者識別情報から、該位置登録要求を送信した携帯端末を収容するノードを決定し、該ノードに該携帯端末を登録すると共に、該ノードにて収容することが識別できるような新たな一時的加入者識別情報を該携帯端末に送信する、請求項１に記載の移動通信システム。
【請求項５】
前記コアネットワークは、前記携帯端末の回線交換通信における位置を管理する第１の位置管理装置と、前記携帯端末のパケット交換通信における位置を管理する第２の位置管理装置とを更に有し、前記第２の位置管理装置が、前記携帯端末からの位置登録要求を受信すると、前記第１の位置管理装置と連携して前記一時的加入者識別情報とパケット交換通信用一時的加入者識別情報とを前記携帯端末に送信する、請求項１に記載の移動通信システム。
【請求項６】
前記第２の位置管理装置が前記携帯端末から受信した位置登録要求に、パケット交換通信用一時的加入者識別情報ではなく、固定的加入者識別情報が含まれていた場合、前記第２の位置管理装置は前記第１の位置管理装置に位置登録の更新を要求する、請求項５に記載の移動通信システム。
【請求項７】
前記第２の位置管理装置が前記携帯端末から受信した位置登録要求に、パケット交換通信用一時的加入者識別情報が含まれていた場合、前記第２の位置管理装置は該パケット交換用一時的加入者識別情報から、前記携帯端末を収容するノードを識別し、該ノードに位置登録の更新を要求し、該ノードが前記第１の位置管理装置に位置登録の更新を要求する、請求項５に記載の移動通信システム。
【請求項８】
複数のサービスを加入者契約に応じて携帯端末に提供する移動通信システムのコアネットワークにおいて、
前記携帯端末に対して互いに異なるサービスを提供する機能を有する複数ノードを備え、前記携帯端末から位置登録要求を受信すると、該携帯端末の加入者契約に基づいて定まるノードに該携帯端末を登録すると共に、該ノードにて収容することが識別できるような一時的加入者識別情報を該携帯端末に送信することを特徴とするコアネットワーク。
【請求項９】
複数のサービスを加入者契約に応じて携帯端末に提供する移動通信システムのコアネットワークの複数のノードと前記携帯端末との間でメッセージ信号を中継する無線ネットワークにおいて、
前記コアネットワークの複数の前記ノードと接続する制御装置を備え、前記メッセージ信号の中継において、前記制御装置が、前記携帯端末から前記一時的加入者識別情報を含むメッセージ信号を受信すると、該携帯端末を収容するノードを該一時的加入者識別情報に基づいて識別し、該ノードに前記メッセージ信号を送信することを特徴とする無線ネットワーク。
【請求項１０】
携帯端末に対して各々が異なるサービスを提供する機能を有する複数のノードによって、複数のサービスを加入者契約に応じて携帯端末に提供する移動通信システムのサービス制御方法であって、
コアネットワークにて、
前記携帯端末から位置登録要求を受信すると、該携帯端末の加入者契約に基づいて定まるノードに該携帯端末を登録し、該ノードにて収容することが識別できるような一時的加入者識別情報を該携帯端末に送信し、
無線ネットワークにて、
前記携帯端末と前記コアネットワークの間でメッセージ信号を中継するとき、前記携帯端末から前記一時的加入者識別情報を含むメッセージ信号を受信すると、該携帯端末を収容するノードを該一時的加入者識別情報に基づいて識別し、該ノードに前記メッセージ信号を送信する、サービス制御方法。
【発明の詳細な説明】
【技術分野】
【０００１】
本発明は、携帯端末を収容するネットワークを複数のネットワークの中から選択することのできる移動通信システムに関する。
【背景技術】
【０００２】
近年の移動通信サービスの普及は著しく、第３世代携帯電話（３Ｇ：３ｒｄ  Ｇｅｎｅｒａｔｉｏｎ  Ｐａｒｔｎｅｒｓｈｉｐ  Ｐｒｏｊｅｃｔ）や無線ＬＡＮ（ＷＬＡＮ：Ｗｉｒｅｌｅｓｓ  Ｌｏｃａｌ  Ａｒｅａ  Ｎｅｔｗｏｒｋ）などのサービスが広く普及してきている。【０００３】
これらの無線サービスは提供地域が互いに重複しており、同一の場所で同時に異なる複数の無線サービスが提供されている。これにより携帯端末のユーザは複数のサービスのうちいずれかを選択して利用することが可能となっている（例えば、特開２００５−２５２４９３号公報参照）。【０００４】
３Ｇの携帯端末に提供される付加サービスとしては、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）標準のサービス（Ｃａｌｌ  Ｆｏｒｗａｒｄｉｎｇ，Ｃａｌｌ  Ｗａｉｔｉｎｇ等）に加えて、ＩＮ（Ｉｎｔｅｌｌｉｇｅｎｔ  Ｎｅｔｗｏｒｋ）方式のサービスが採用されている。ＩＮ方式は、サービスに関する制御およびデータの保持や管理を交換機とは別のノードに配置することによって、サービスの追加や拡張の際に交換機のソフトウェア変更を不要とすることを目指した方式である。【０００５】
上述したような通信サービスや付加サービスは携帯端末毎に選択的に提供することができる。そのためにシステム側では携帯端末に対して通信サービスや付加サービスを提供するネットワークを複数備えておき、その中から各携帯端末と接続するネットワークを選択することで各種サービスの選択的な提供を可能にしている。携帯端末側では、利用するサービスに応じて機能的な差分が設けられ、送信信号によって区別が可能となっている。携帯端末を収容するネットワークは携帯端末からの信号に応じて選択される。
【発明の開示】
【０００６】
上述した移動通信サービスでは、携帯端末に提供するサービスにグレードを設けようとする場合、コアネットワークにだけでなく、携帯端末にもグレードに応じた機能的な差分を設けなければならなかった。
【０００７】
また、ユーザは、享受するサービスのグレードを変更するために、携帯電話事業者との契約を変更するだけではなく、携帯端末も変更する必要があった。
【０００８】
本発明の目的は、携帯端末によらずユーザの契約にしたがって、携帯端末を収容するネットワークを選択することのできる移動通信システムを提供することである。
【０００９】
本発明による移動通信システムは、複数のサービスを加入者契約に応じて携帯端末に提供する移動通信システムであって、コアネットワークと無線ネットワークを有している。
コアネットワークは、携帯端末に対して各々が異なるサービスを提供する機能を有する複数のノードを備えている。無線ネットワークは、コアネットワークの複数のノードと接続する制御装置を備えている。
【００１０】
コアネットワークは、携帯端末から位置登録要求を受信すると、その携帯端末の加入者契約に基づいて定まるノードにその携帯端末を登録する。そのときコアネットワークは、そのノードにて収容することが識別できるような一時的加入者識別情報を携帯端末に送信する。無線ネットワークは、携帯端末とコアネットワークの間でメッセージ信号を中継する。そのとき制御装置は、携帯端末から一時的加入者識別情報を含むメッセージ信号を受信すると、その携帯端末を収容するノードを一時的加入者識別情報に基づいて識別し、そのノードにメッセージ信号を送信する。
【００１１】
したがって、本発明によれば、コアネットワークにサービスの異なる複数のノードを設け、無線ネットワークの制御装置で加入者識別情報に応じて携帯端末からのメッセージ信号を送信するノードを選択するので、携帯端末の機能に依存せずユーザの契約情報によって携帯端末を収容するノードを選択することができる。
【図面の簡単な説明】
【００１２】
【図１】本発明の一実施例による移動通信システムの構成を示すブロック図である。
【図２】本発明の一実施例によるＭＳＣの構成を示すブロック図である。
【図３】本発明の一実施例によるＲＮＣの構成を示すブロック図である。
【図４】本発明の一実施例による携帯端末の構成を示すブロック図である。
【図５】本発明の一実施例による移動通信システムの一動作例を示すシーケンスチャートである。
【図６】本発明の一実施例による移動通信システムの一動作例を示すシーケンスチャートである。
【図７】本発明の一実施例による移動通信システムの他の動作例を示すシーケンスチャートである。
【図８】本発明の一実施例による移動通信システムの他の動作例を示すシーケンスチャートである。
【発明を実施するための最良の形態】
【００１３】
本発明の実施例について図面を参照して説明する。【００１４】
図１は、本発明の一実施例による移動通信システムの構成を示すブロック図である。図１において、本実施例による移動通信システムは、ホームロケーションレジスタ（ＨＬＲ（Ｈｏｍｅ  Ｌｏｃａｔｉｏｎ  Ｒｅｇｉｓｔｅｒ））１と、移動通信交換局（ＭＳＣ（Ｍｏｂｉｌｅ  Ｓｗｉｔｃｈｉｎｇ  Ｃｅｎｔｒｅ）−Ａ，Ｂ）２−１，２−２と、無線ネットワーク制御装置（ＲＮＣ（Ｒａｄｉｏ  Ｎｅｔｗｏｒｋ  Ｃｏｎｔｒｏｌｌｅｒ）ａ〜ｃ）３−１〜３−３と、携帯端末４とから構成されている。【００１５】
ＭＳＣ−Ａ  ２−１，ＭＳＣ−Ｂ  ２−２はコアネットワークのノードである。ＲＮＣは無線ネットワークシステム（ＲＮＳ（Ｒａｄｉｏ  Ｎｅｔｗｏｒｋ  Ｓｙｓｔｅｍ））のノードである。ＭＳＣ−Ａ  ２−１とＭＳＣ−Ｂ  ２−２の双方が各々にＲＮＣａ３−１、ＲＮＣｂ３−２、ＲＮＣｃ３−３を収容し、ＭＳＣ−Ａ２−１とＭＳＣ−Ｂ２−２でプールエリア（Ｐｏｏｌ  Ａｒｅａ）１００を構成している。【００１６】
ＲＮＣａ３−１、ＲＮＣｂ３−２、ＲＮＣｃ３−３はロケーションエリア（ＬＡ（Ｌｏｃａｔｉｏｎ  Ａｒｅａ）１  ２０１，ＬＡ２  ２０２，ＬＡ３  ２０３をそれぞれ構成している。そして、ＲＮＣａ３−１、ＲＮＣｂ３−２、ＲＮＣｃ３−３はＩｕ−Ｆｌｅｘ機能によって、ＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ：一時的なユーザ識別子）に基づいてアクセスするＭＳＣを選択することができる。また、ＴＭＳＩからアクセスするＭＳＣを選択できない場合、ＲＮＣａ３−１、ＲＮＣｂ３−２、ＲＮＣｃ３−３はデフォルトで設定されているＭＳＣ−Ａ  ２−１にアクセスするものとする。【００１７】
ＭＳＣが携帯端末に払い出すＴＭＳＩに設定するＮＲＩ（Ｎｅｔｗｏｒｋ  Ｒｅｓｏｕｒｃｅ  Ｉｄｅｎｔｉｆｉｅｒ）は、その携帯端末を収容するＭＳＣを示す値であり、加入者の契約情報によって異なる。ここでは、「ＮＲＩ＝１」がＭＳＣ−Ａ  ２−１を示し、「ＮＲＩ＝２」がＭＳＣ−Ｂ  ２−２を示すものとする。ＲＮＣは、Ｉｕ−Ｆｌｅｘ機能により、配下の携帯端末を収容するＭＳＣを選択することができる。【００１８】
本実施例では、上述した機能によって、ＭＳＣ毎に携帯端末に提供するサービスに差分がある場合、特定の携帯端末だけを特定のＭＳＣに収容することが可能となる。【００１９】
図２は、本実施例によるＭＳＣの構成を示すブロック図である。図２において、ＭＳＣ２は、ＣＰＵ（中央処理装置）２１と、ＣＰＵ２１が実行する制御プログラム２２ａを格納するメインメモリ２２と、ＣＰＵ２１が制御プログラム２２ａを実行する際に作業領域として使用する記憶装置２３と、ＨＬＲ１及びＲＮＣａ〜ｃ  ３−１〜３−３との間の通信を制御する通信制御部２４とから構成されている。【００２０】
記憶装置２３は自装置に設定されたＮＲＩ情報を保持するＮＲＩ情報保持領域２３１と、携帯端末４を認証するための認証情報を保持する認証情報保持領域２３２と、携帯端末４の利用者の加入者プロファイルを保持する加入者プロファイル保持領域２３３とを備えている。尚、ＣＰＵ２１、メインメモリ２２、記憶装置２３、通信制御部２４はそれぞれ内部バス２１０に接続されている。また、図１に示したＭＳＣ−Ａ  ２−１及びＭＳＣ−Ｂ  ２−２は図２に示したＭＳＣ２と同様の構成となっている。【００２１】
図３は、本実施例によるＲＮＣの構成を示すブロック図である。図３において、ＲＮＣ３は、ＣＰＵ３１と、ＣＰＵ３１が実行する制御プログラム３２ａを格納するメインメモリ３２と、ＣＰＵ３１が制御プログラム３２ａを実行する際に作業領域として使用する記憶装置３３と、ＭＳＣ−Ａ  ２−１及びＭＳＣ−Ｂ  ２−２と不図示のＮｏｄｅ−Ｂ（無線基地局装置）との間の通信を制御する通信制御部３４とから構成されている。【００２２】
記憶装置３３は自装置にデフォルトとして設定されたＮＲＩを保持するデフォルト設定保持領域３３１と、Ｉｕ−Ｆｌｅｘ機能を実現するためのＩｕ−Ｆｌｅｘ機能プログラムを保持するＩｕ−Ｆｌｅｘ機能プログラム保持領域３３２とを備えている。尚、ＣＰＵ３１、メインメモリ３２、記憶装置３３、通信制御部３４はそれぞれ内部バス３１０に接続されている。また、図１に示したＲＮＣａ〜ｃ  ３−１〜３−３は図３に示したＲＮＣ３と同様の構成となっている。【００２３】
図４は、本実施例による携帯端末の構成を示すブロック図である。図４において、携帯端末４は、ＣＰＵ４１と、ＣＰＵ４１が実行する制御プログラム４２ａを格納するメインメモリ４２と、ＣＰＵ４１が制御プログラム４２ａを実行する際に作業領域として使用する記憶装置４３と、ＲＮＣ３のＮｏｄｅ−Ｂとの間の無線通信を制御する無線通信制御部４４とから構成されている。【００２４】
記憶装置４３は自装置のＩＤ（識別情報）として設定されたＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ：固定的に割り当てられるユーザ識別子）を保持するＩＤ情報（ＩＭＳＩ）保持領域４３１と、ＲＮＣ３を通して送られて来るＴＭＳＩを保持するＴＭＳＩ保持領域４３２とを備えている。尚、ＣＰＵ４１、メインメモリ４２、記憶装置４３、無線通信制御部４４はそれぞれ内部バス４１０に接続されている。【００２５】
図５及び図６は、本実施例による移動通信システムの一動作例を示すシーケンスチャートである。図５及び図６を用いて、ＭＳＣとＳＧＳＮ（Ｓｅｒｖｉｎｇ  ＧＰＲＳ  Ｓｕｐｐｏｒｔ  Ｎｏｄｅ）の間にＧｓ−ＩＦがない場合のＣＳ（Ｃｉｒｃｕｉｔ  Ｓｗｉｔｃｈｅｄ）単独アタッチ（Ａｔｔａｃｈ）・位置登録処理について説明する。図５には、携帯端末からＩＭＳＩを指定したＬｏｃａｔｉｏｎ  Ｕｐｄａｔｉｎｇ  Ｒｅｑｕｅｓｔを受信したときのＣＳアタッチのシーケンスが示されている。アタッチは着信の可能／不可能を管理するための手順である。【００２６】
携帯端末はＣＳアタッチが起動されると、ＩＭＳＩを設定したＬｏｃａｔｉｏｎ  Ｕｐｄａｔｉｎｇ  Ｒｅｑｕｅｓｔ（位置更新要求：１０１）を送信する。ここではＬｏｃａｔｉｏｎ  Ｕｐｄａｔｉｎｇ  Ｒｅｑｕｅｓｔ（１０１）にＮＲＩが設定されていないことから、ＲＮＣは、デフォルトとしてＲＮＣに設定されているＭＳＣ−Ａに向けて信号を中継する。【００２７】
Ｌｏｃａｔｉｏｎ  Ｕｐｄａｔｉｎｇ  Ｒｅｑｕｅｓｔ（１０１）を受信したＭＳＣ−Ａは、携帯端末のＩＤ（ＩＤｅｎｔｉｆｉｅｒ）として設定されているＩＭＳＩによって、ＭＳＣ−Ａが保持している加入者プロファイル（Ｐｒｏｆｉｌｅ）を検索する。加入者プロファイルがなければ、ＭＳＣ−ＡはＨＬＲにＳｅｎｄ  Ａｕｔｈｅｎｔｉｃａｔｉｏｎ  Ｉｎｆｏ（認証情報問い合わせ：１０２）を送信して、携帯端末の認証に必要な情報を問い合わせる。【００２８】
ＨＬＲはＳｅｎｄ  Ａｕｔｈｅｎｔｉｃａｔｉｏｎ  Ｉｎｆｏ  Ａｃｋ（認証情報問い合わせ応答：１０３）にて認証情報をＭＳＣ−Ａに送信する。ＭＳＣ−Ａは入手した認証情報を用いて、Ａｕｔｈｅｎｔｉｃａｔｉｏｎ  Ｒｅｑｕｅｓｔ（認証要求：１０４），Ａｕｔｈｅｎｔｉｃａｔｉｏｎ  Ｒｅｓｐｏｎｓｅ（認証応答：１０５）の各手順で携帯端末の認証を実施する。【００２９】
認証に成功した場合、ＭＳＣ−ＡはＨＬＲへ携帯端末の位置登録を実施するため、ＨＬＲにＵｐｄａｔｅ  Ｌｏｃａｔｉｏｎ（位置更新：１０６）を送信する。その後、ＭＳＣ−ＡとＨＬＲとの間でＩｎｓｅｒｔ  Ｓｕｂｓｃｒｉｂｅｒ  Ｄａｔａ（加入者情報書込み要求：１０７），Ｉｎｓｅｒｔ  Ｓｕｂｓｃｒｉｂｅｒ  Ｄａｔａ  Ａｃｋ（加入者情報書込み応答：１０８）を送受信することで、ＭＳＣ−Ａに加入者プロファイルをダウンロードする。【００３０】
最後に、ＭＳＣ−ＡがＨＬＲからＵｐｄａｔｅ  Ｌｏｃａｔｉｏｎ  Ａｃｋ（位置登録応答：１０９）を受信することで、ＭＳＣ−ＡとＨＬＲとの間の位置登録処理が終了する。【００３１】
ＭＳＣ−ＡはＨＬＲからダウンロードした加入者プロファイルの契約情報から、該当携帯端末を収容するＭＳＣがＭＳＣ−Ｂであることを認識すると、Ｒｅｒｏｕｔｅ  Ｃｏｍｍａｎｄ（リルートコマンド：１１０）をＲＮＣに送信し、ＲＮＣはＬｏｃａｔｉｏｎ  Ｕｐｄａｔｉｎｇ  Ｒｅｑｕｅｓｔ（位置登録要求）を含んだＩｎｉｔｉａｌ  ＵＥ（携帯端末初期化：１１１）をＭＳＣ−Ｂに送信する。【００３２】
ＭＳＣ−Ｂは携帯端末との間でＡｕｔｈｅｎｔｉｃａｔｉｏｎ  ａｎｄ  Ｃｉｐｈｅｒｉｎｇ（認証・秘匿処理：１１２）を実施した後、ＨＬＲに対してＵｐｄａｔｅ  Ｌｏｃａｔｉｏｎ（位置登録：１１３）を送信する。Ｕｐｄａｔｅ  Ｌｏｃａｔｉｏｎ（１１３）を受信したＨＬＲは、該当携帯端末を収容していた旧ＭＳＣであるＭＳＣ−Ａに対してＣａｎｃｅｌ  Ｌｏｃａｔｉｏｎ（位置取り消し：１１４）を送信する。【００３３】
ＭＳＣ−Ａは該当携帯端末の加入者プロファイルを削除し、Ｃａｎｃｅｌ  Ｌｏｃａｔｉｏｎ  Ａｃｋ（位置取り消し応答：１１５）をＨＬＲに返送する。その後、ＨＬＲは該当携帯端末を収容する新ＭＳＣであるＭＳＣ−Ｂに対して加入者データを設定したＩｎｓｅｒｔ  Ｓｕｂｓｃｒｉｂｅｒ  Ｄａｔａ（加入者情報書込み要求：１１６）を送信する。【００３４】
ＭＳＣ−Ｂは加入者プロファイルを作成した後、Ｉｎｓｅｒｔ  Ｓｕｂｓｃｒｉｂｅｒ  Ｄａｔａ  Ａｃｋ（加入者情報書込み応答：１１７）を返送する。Ｉｎｓｅｒｔ  Ｓｕｂｓｃｒｉｂｅｒ  Ｄａｔａ  Ａｃｋ（１１７）を受信したＨＬＲは、Ｕｐｄａｔｅ  Ｌｏｃａｔｉｏｎ  Ａｃｋ（位置登録応答：１１８）をＭＳＣ−Ｂに返送する。【００３５】
ＭＳＣ−Ｂは携帯端末に対してＴＭＳＩを割り当て、ＲＮＣに対してＬｏｃａｔｉｏｎ  Ｕｐｄａｔｉｎｇ  Ａｃｃｅｐｔ（位置登録受領）を設定したＲｅｒｏｕｔｅ  Ｃｏｍｐｌｅｔｅ（リルート終了：１１９）を返送し、ＲＮＣはＤｉｒｅｃｔ  Ｔｒａｎｓｆｅｒ（ＴＭＳＩ通知：１２０）で携帯端末にＴＭＳＩを通知する。携帯端末はＴＭＳＩを受け取ると、ＴＭＳＩ  Ｒｅａｌｌｏｃａｔｉｏｎ  Ｃｏｍｐｌｅｔｅ（ＴＭＳＩリロケーション終了：１２１）をＭＳＣ−Ａに送信する。位置登録処理が完了した後、携帯端末は上記の手順で通知されたＴＭＳＩを用いて通信を行う。【００３６】
次に、図６を用いて、携帯端末がＴＭＳＩを設定した場合の位置登録処理を説明する。図６には、Ｉｎｔｅｒ  ＶＬＲ（Ｖｉｓｉｔｏｒ  Ｌｏｃａｔｉｏｎ  Ｒｅｇｉｓｔｅｒ）の場合のシーケンスが示されている。【００３７】
携帯端末はＣＳアタッチが起動されると、保持しているＴＭＳＩを設定したＬｏｃａｔｉｏｎ  Ｕｐｄａｔｉｎｇ  Ｒｅｑｕｅｓｔ（位置更新要求：２０１）を送信する。ＲＮＣはＬｏｃａｔｉｏｎ  Ｕｐｄａｔｉｎｇ  Ｒｅｑｕｅｓｔ（２０１）に設定されているＴＭＳＩの中のＮＲＩを見て、該当ＭＳＣに信号を転送する。この場合にはＭＳＣ−Ｂに信号を送信している。【００３８】
Ｌｏｃａｔｉｏｎ  Ｕｐｄａｔｉｎｇ  Ｒｅｑｕｅｓｔ（２０１）を受信したＭＳＣ−ＢはＬｏｃａｔｉｏｎ  Ｕｐｄａｔｉｎｇ  Ｒｅｑｕｅｓｔ（２０１）に設定されている旧ＬＡＩ（ｏｌｄ  ＬＡＩ（Ｌｏｃａｔｉｏｎ  Ａｒｅａ  Ｉｄｅｎｔｉｔｙ））が自ＭＳＣ−ＢのＬＡＩでないことから、Ｉｎｔｅｒ  ＶＬＲの位置登録であると認識する。ＭＳＣ−Ｂは旧ＬＡＩから旧ＭＳＣ−Ｂ（ｏｌｄ  ＭＳＣ−Ｂ）を検索し、Ｓｅｎｄ  Ｉｄｅｎｔｉｆｉｃａｔｉｏｎ  Ｒｅｑｕｅｓｔ（認証情報問い合わせ：２０２）を送信し、携帯端末の認証に必要な情報を問い合わせる。【００３９】
旧ＭＳＣ−ＢはＳｅｎｄ  Ｉｄｅｎｔｉｆｉｃａｔｉｏｎ  Ｒｅｓｐｏｎｓｅ（認証情報問い合わせ応答：２０３）にて認証情報をＭＳＣ−Ｂに送信する。Ｓｅｎｄ  Ｉｄｅｎｔｉｆｉｃａｔｉｏｎ  Ｒｅｓｐｏｎｓｅ（２０３）の判定結果が異常な場合、旧ＭＳＣ−ＢはＩｄｅｎｔｉｔｙ  Ｒｅｑｕｅｓｔ（識別子要求：２０４），Ｉｄｅｎｔｉｔｙ  Ｒｅｓｐｏｎｓｅ（識別子応答：２０５）の手順で携帯端末にＩＭＳＩを問い合わせる。また、認証に必要な情報が不足している場合、旧ＭＳＣ−ＢはＨＬＲにＳｅｎｄ  Ａｕｔｈｅｎｔｉｃａｔｉｏｎ  Ｉｎｆｏ（認証情報問い合わせ：２０６）を送信し、携帯端末の認証に必要な情報を問い合わせる。【００４０】
ＨＬＲはＳｅｎｄ  Ａｕｔｈｅｎｔｉｃａｔｉｏｎ  Ｉｎｆｏ  Ａｃｋ（認証情報問い合わせ応答：２０７）にて認証情報をＭＳＣ−Ｂに送信する。認証処理に必要な情報が揃うと、ＭＳＣ−ＢはＡｕｔｈｅｎｔｉｃａｔｉｏｎ  Ｒｅｑｕｅｓｔ（認証要求：２０４），Ａｕｔｈｅｎｔｉｃａｔｉｏｎ  Ｒｅｓｐｏｎｓｅ（認証応答：２０５）の各手順で携帯端末の認証を実施する。認証に成功した場合、ＭＳＣ−ＢはＨＬＲへ携帯端末の位置登録を実施するため、ＨＬＲに向けてＵｐｄａｔｅ  Ｌｏｃａｔｉｏｎ（位置更新：２１０）を送信する。【００４１】
ＨＬＲからは通常のＩｎｔｅｒ  ＶＬＲの位置登録処理に見えるので、旧ＭＳＣであるｏｌｄ  ＭＳＣ−Ｂとの間でＣａｎｃｅｌ  Ｌｏｃａｔｉｏｎ（位置取り消し：２１１），Ｃａｎｃｅｌ  Ｌｏｃａｔｉｏｎ  Ａｃｋ（位置取り消し応答：２１２）を送受信することで、旧ＭＳＣの加入者フロファイルを削除する。【００４２】
その後、ＨＬＲはＭＳＣ−Ｂとの間でＩｎｓｅｒｔ  Ｓｕｂｓｃｒｉｂｅｒ  Ｄａｔａ（加入者情報書込み要求：２１３），Ｉｎｓｅｒｔ  Ｓｕｂｓｃｒｉｂｅｒ  Ｄａｔａ  Ａｃｋ（加入者情報書込み応答：２１４）を送受信することで、ＭＳＣ−Ｂに加入者プロファイルをダウンロードする。最後に、ＭＳＣ−ＢはＨＬＲからＵｐｄａｔｅ  Ｌｏｃａｔｉｏｎ  Ａｃｋ（位置更新応答：２１５）を受信することで、ＨＬＲとの間での位置登録処理を終了する。【００４３】
ＭＳＣ−Ｂはダウンロードした加入者プロファイルの契約情報から該当携帯端末を収容するＭＳＣであることを認識すると、ＮＲＩに「２」を設定したＴＭＳＩを払い出し、携帯端末との間で秘匿処理を実施した後、ＴＭＳＩを設定したＬｏｃａｔｉｏｎ  Ｕｐｄａｔｉｎｇ  Ａｃｃｅｐｔ（位置登録受領：２１８）を携帯端末に送信する。秘匿処理では、Ｓｅｃｕｒｉｔｙ  Ｍｏｄｅ  Ｃｏｍｍａｎｄ（セキュリティモードコマンド：２１６），Ｓｅｃｕｒｉｔｙ  Ｍｏｄｅ  Ｃｏｍｐｌｅｔｅ（セキュリティモード終了：２１７）が送受信される。【００４４】
携帯端末はＴＭＳＩを受け取ると、ＴＭＳＩ  Ｒｅａｌｌｏｃａｔｉｏｎ  Ｃｏｍｐｌｅｔｅ（ＴＭＳＩリロケーション終了：２１９）をＭＳＣ−Ｂに送信する。位置登録処理が完了した後、携帯端末は上記の手順で通知されたＴＭＳＩを用いて通信を行う。【００４５】
図７及び図８は本実施例による移動通信システムの他の動作例を示すシーケンスチャートである。図７及び図８を参照して、ＭＳＣとＳＧＳＮとがＧｓ−ＩＦで連携する場合の結合アタッチ（Ｃｏｍｂｉｎｅｄ  Ａｔｔａｃｈ）・位置登録処理について説明する。【００４６】
図７は、Ｉｎｔｅｒ  ＶＬＲ／Ｉｎｔｅｒ  ＳＧＳＮの結合アタッチシーケンスを示している。このシーケンスは携帯端末がＴＭＳＩを保持しておらず、ＩＭＳＩを設定してきた場合の手順を示している。【００４７】
携帯端末は、ＩＭＳＩを設定したＡｔｔａｃｈ  Ｒｅｑｕｅｓｔ（アタッチ要求：３０１）をＳＧＳＮに送信する。ＳＧＳＮはＨＬＲから認証情報を認証情報取得（３０２）によって取得し、携帯端末の認証をＳｅｃｕｒｉｔｙ  Ｆｕｎｃｔｉｏｎ（セキュリティファンクション：３０３）で実施する。認証に成功した場合、ＳＧＳＮはＨＬＲに対してＵｐｄａｔｅ  Ｌｏｃａｔｉｏｎ（位置更新：３０４）を送信する。【００４８】
ＨＬＲは該当加入者のプロファイルが旧ＳＧＳＮ（ｏｌｄ  ＳＧＳＮ）に存在する場合、旧ＳＧＳＮとの間でＣａｎｃｅｌ  Ｌｏｃａｔｉｏｎ（位置取り消し：３０５），Ｃａｎｃｅｌ  Ｌｏｃａｔｉｏｎ  Ａｃｋ（位置取り消し応答：３０６）を送受信することで旧ＳＧＳＮの加入者プロファイルを削除する。その後、ＨＬＲはＳＧＳＮとの間でＩｎｓｅｒｔ  Ｓｕｂｓｃｒｉｂｅｒ  Ｄａｔａ（加入者情報書込み要求：３０７），Ｉｎｓｅｒｔ  Ｓｕｂｓｃｒｉｂｅｒ  Ｄａｔａ  Ａｃｋ（加入者情報書込み応答：３０８）を送受信することで、ＳＧＳＮに加入者プロファイルをダウンロードする。【００４９】
ＳＧＳＮはダウンロードした加入者プロファイルの契約情報から、該当携帯端末を収容するＭＳＣを判断し、ＭＳＣ−Ｂに対してＵｐｄａｔｅ  Ｌｏｃａｔｉｏｎ（位置更新：３０９）を送信する。Ｕｐｄａｔｅ  Ｌｏｃａｔｉｏｎ（３０９）を受信したＭＳＣ−Ｂは、通常の位置登録処理を実施する（３１０〜３１５）。【００５０】
ＭＳＣ−ＢはＨＬＲからダウンロードした加入者プロファイルの契約情報から該当携帯端末を収容するＭＳＣであることを認識すると、ＮＲＩに「２」を設定したＴＭＳＩを払い出し、ＳＧＳＮにＴＭＳＩを設定したＬｏｃａｔｉｏｎ  Ｕｐｄａｔｅ  Ａｃｃｅｐｔ（位置更新受領：３１６）を送信する。【００５１】
ＳＧＳＮは携帯端末に対して、ＳＧＳＮが払い出したＰ−ＴＭＳＩ（Ｐａｃｋｅｔ  ＴＭＳＩ）とＭＳＣ−Ｂが払い出したＴＭＳＩを設定したＡｔｔａｃｈ  Ａｃｃｅｐｔ（アタッチ応答：３１７）とを送信し、携帯端末はＡｔｔａｃｈ  Ａｃｃｅｐｔ（アタッチ応答：３１８）を返送する。【００５２】
ＳＧＳＮはＭＳＣ−ＢにＴＭＳＩ  Ｒｅａｌｌｏｃａｔｉｏｎ  Ａｃｃｅｐｔ（ＴＭＳＩリロケーション終了：３１９）を送信し、結合アタッチ処理を完了する。【００５３】
最後に、図８を用いてＩｎｔｅｒ  ＶＬＲ／Ｉｎｔｒａ  ＳＧＳＮのＣｏｍｂｉｎｅｄ  ＲＡ／ＬＡ  Ｕｐｄａｔｅ手順について説明する。このシーケンスは携帯端末が保持しているＰ−ＴＭＳＩを設定する場合について示している。【００５４】
携帯端末はＰ−ＴＭＳＩを設定したＡｔｔａｃｈ  Ｒｅｑｕｅｓｔ（アタッチ要求：４０１）をＳＧＳＮに送信する。ＳＧＳＮは携帯端末の認証をＳｅｃｕｒｉｔｙ  Ｆｕｎｃｔｉｏｎ（セキュリティファンクション：４０２）で実施する。認証情報はＨＬＲから認証情報取得（４０３）の手順で取得する。【００５５】
ＳＧＳＮはＰ−ＴＭＳＩ，旧ＲＡＩ（Ｒｏｕｔｉｎｇ  Ａｒｅａ  Ｉｄｅｎｔｉｔｙ）からＩｎｔｒａ  ＳＧＳＮだと判断し、ＳＧＳＮに保持している加入者プロファイルから該当携帯端末を収容するＭＳＣを判断し、ＭＳＣ−Ｂに対してＵｐｄａｔｅ  Ｌｏｃａｔｉｏｎ（位置更新：４０５）を送信する。【００５６】
Ｕｐｄａｔｅ  Ｌｏｃａｔｉｏｎ（４０５）を受信したＭＳＣ−Ｂは通常の位置登録処理を実施する（４０６〜４１０）。ＭＳＣ−ＢはＨＬＲからダウンロードした加入者プロファイルの契約情報から該当携帯端末を収容するＭＳＣであることを認識すると、ＮＲＩに「２」を設定したＴＭＳＩを払い出し、ＳＧＳＮにＴＭＳＩを設定したＬｏｃａｔｉｏｎ  Ｕｐｄａｔｅ  Ａｃｃｅｐｔ（位置更新受領：４１１）を送信する。【００５７】
ＳＧＳＮは携帯端末に対して、ＳＧＳＮが払い出したＰ−ＴＭＳＩと、ＭＳＣ−Ｂが払い出したＴＭＳＩを設定したＡｔｔａｃｈ  Ａｃｃｅｐｔ（アタッチ受領：４１２）とを送信し、携帯端末はＡｔｔａｃｈ  Ａｃｃｅｐｔ（アタッチ受領：４１３）を返送する。ＳＧＳＮはＭＳＣ−ＢにＴＭＳＩ  Ｒｅａｌｌｏｃａｔｉｏｎ  Ａｃｃｅｐｔ（ＴＭＳＩリロケーション受領：４１４）を送信し、Ｃｏｍｂｉｎｅｄ  ＲＡ／ＬＡ  Ｕｐｄａｔｅ処理を完了する。【００５８】
携帯端末は、上記で示したアタッチ／位置登録処理で、加入者の契約にしたがったＴＭＳＩを保持していると、その後の発信やＳＭＳ（Ｓｈｏｒｔ  Ｍｅｓｓａｇｅ  Ｓｅｒｖｉｃｅ）等の携帯端末からの発信系サービスは、ＴＭＳＩとＲＮＣのＩｕ−Ｆｌｅｘ機能とによって、契約にしたがったサービスを提供することができるＭＳＣで処理することが可能となる。また、着信系サービスはＨＬＲで加入者を収容するＭＳＣが解決可能であり、既存の処理でサービスが提供可能となる。【００５９】
このように、本実施例では、コアネットワークにサービスグレードの異なる複数のノードを設け、ＲＮＣのＩｕ−Ｆｌｅｘ機能によって携帯端末を収容するノードを選択し、そのノードに信号を送るので、携帯端末の機能に依存せずユーザの契約情報によって携帯端末を収容するノードを選択することができる。そのため、携帯電話事業者はユーザに対してグレードの異なる複数のサービスを選択的に提供するとき、契約内容を設定するだけで容易にサービスを選択することができる。また、携帯端末のユーザは、携帯端末を変更することなく、携帯電話事業者から提供されている複数のサービスの中から享受したいサービスを選択することができる。【００６０】
なお、本実施例では、回線交換のコアネットワークノードであるＭＳＣに機能的な差分を持たせ、ＭＳＣが払い出すＴＭＳＩとＩｕ−Ｆｌｅｘ機能とを利用することによって、携帯端末を収容するノードを選択する方法を説明した。しかし、パケット交換のコアネットワークノードにおいても、Ｐ−ＴＭＳＩを払い出すＳＧＳＮに、上述したＭＳＣと同様の機能を持たせることによって、ＰＳ（Ｐａｃｋｅｔ  Ｓｗｉｔｃｈｅｄ）加入者収容ネットワークを契約情報に応じて選択することができる。
【図１】
0004636289.tif 000002
【図２】
0004636289.tif 000003
【図３】
0004636289.tif 000004
【図４】
0004636289.tif 000005
【図５】
0004636289.tif 000006
【図６】
0004636289.tif 000007
【図７】
0004636289.tif 000008
【図８】
0004636289.tif 000009